【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】 搬送手段によって搬送される記録媒体に対してインクを吐出して記録を行う画像記録装置において、前記記録媒体の端よりはみ出してインクを吐出する記録手段と、前記記録媒体の端よりはみ出して吐出されたインクを吸収する吸収部材を具備するインク吸収手段と、を有することを特徴とする画像記録装置。
【請求項２】 前記吸収部材は、回転することを特徴とする請求項１記載の画像記録装置。
【請求項３】 前記吸収部材はシート状であり、前記インク吸収手段は、前記吸収部材を巻き取る機構を有することを特徴とする請求項１記載の画像記録装置。
【請求項４】 前記記録手段は、前記記録媒体の搬送方向、及び、前記記録媒体の搬送方向と略直交する方向の端よりはみ出してインクを吐出する機能を有し、前記吸収部材は、前記記録媒体の搬送方向、及び、前記記録媒体の搬送方向と略直交する方向よりはみ出して吐出されたインクを吸収することを特徴とする請求項１乃至３のいずれかに記載の画像記録装置。
【請求項５】 搬送手段によって搬送される記録媒体に対してインクを吐出して記録を行う画像記録装置において、前記記録媒体の端よりはみ出してインクを吐出する記録手段と、前記記録媒体の端よりはみ出して吐出されたインクを受けるインク受け手段と、該インク受け手段で受けたインクを吸引するインク吸引手段と、を有することを特徴とする画像記録装置。
【請求項６】 前記インク吸引手段は、前記記録媒体の画像記録面と反対側の面側に、前記記録手段と対向し、記録媒体を吸引して画像記録時の記録媒体の浮き上がりを防止する吸引手段と兼用したことを特徴とする請求項５記載の画像記録装置。
【請求項７】 前記記録手段は、前記記録媒体よりはなれた位置でインク吐出を行ない、フラッシングを行なう機能を有し、前記インク受け手段は、フラッシング時のインクも受けるようにしたことを特徴とする請求項５又は６記載の画像記録装置。
【請求項８】 前記記録手段は、前記記録媒体よりはなれた位置でインク吐出を行なって、フラッシングを行なう機能を有し、フラッシング時のインクを受けるフラッシングインク受け手段を設け、前記インク吸引手段は、前記フラッシングインク受け手段で受けたインクも吸収することを特徴とする請求項５又は６記載の画像記録装置。
【請求項９】 前記記録手段は、前記記録媒体の搬送方向、及び、前記記録媒体の搬送方向と略直交する方向の端よりはみ出してインクを吐出し、前記インク受け手段は、前記記録媒体の搬送方向、及び、前記記録媒体の搬送方向と略直交する方向の端よりはみ出したインクを受けることを特徴とする請求項５乃至８のいずれかに記載の画像記録装置。
【請求項１０】 前記記録手段は、前記記録媒体の搬送方向、及び、前記記録媒体の搬送方向と略直交する方向の端よりはみ出してインクを吐出する機能を有し、前記記録媒体の搬送方向の端よりはみ出したインクを受ける第１のインク受け手段と、前記記録媒体の搬送方向と略直交する方向の端よりはみ出したインクを受ける第２のインク受け手段手段と、を設け、前記インク吸収手段は、前記第１のインク受け手段、前記第２のインク受け手段で受けたインクを吸収することを特徴とする請求項５乃至８のいずれかに記載の画像記録装置。
【請求項１１】 搬送手段によって搬送される記録媒体に対してインクを吐出して記録を行う画像記録装置において、前記記録媒体の搬送方向の端よりはみ出してインクを吐出する記録手段と、前記記録媒体の端よりはみ出したインクを受ける溝と、を有することを特徴とする画像記録装置。
【請求項１２】 前記記録手段は、前記記録媒体の搬送方向において前端及び後端の端よりはみ出してインクを吐出する機能を有し、前記溝は、前記記録媒体の前端よりはみ出したインクを受ける前端溝と、前記記録媒体の後端よりはみ出したインクを受ける後端溝と、を有することを特徴とする請求項１１記載の画像記録装置。
【請求項１３】 前記前端溝と前記後端溝とは同一の溝であることを特徴とする請求項１２記載の画像記録装置。
【請求項１４】 前記記録手段は、前記記録媒体の搬送方向において前端よりはみ出してインクを吐出する機能を有し、前記記録手段の記録時に、前記記録媒体の前端が前記溝と略一致するように前記搬送手段を制御する制御手段を設けたことを特徴とする請求項１１記載の画像記録装置。
【請求項１５】 前記記録手段は、前記記録媒体の搬送方向において後端よりはみ出してインクを吐出する機能を有し、前記記録手段の記録時に、前記記録媒体の後端が前記溝と略一致するように前記搬送手段を制御する制御手段を設けたことを特徴とする請求項１１記載の画像記録装置。
【請求項１６】 搬送手段によって搬送される記録媒体に対してインクを吐出して記録を行う画像記録装置において、前記記録媒体の搬送方向の端よりはみ出してインクを吐出する記録手段と、前記記録媒体の端よりはみ出したインクを受けるインク受け手段と、該インク受け手段のインクを清掃する清掃手段と、を有することを特徴とする画像記録装置。
【請求項１７】 前記記録手段は、インクを吐出する記録ヘッドを載置し、前記記録ヘッドを前記記録媒体の搬送方向と交差する方向に搬送するキャリッジを有し、前記清掃手段は、前記キャリッジに設けたことを特徴とする請求項１６記載の画像記録装置。
【請求項１８】 前記清掃手段は、回転可能な清掃部材を有することを特徴とする請求項１６又は１７記載の画像記録装置。
【請求項１９】 前記清掃手段は、前記清掃部材を回転駆動する駆動源を有し、所定回数清掃毎に前記駆動源を回転させる制御部を設けたことを特徴とする請求項１８記載の画像記録装置。
【請求項２０】 前記記録手段は、前記記録ヘッドにインクを供給するインクタンクを有し、該インクタンクと前記清掃手段が一体で交換可能であることを特徴とする請求項１６乃至１９のいずれかに記載の画像記録装置。
【請求項２１】 前記記録手段は、前記記録媒体の搬送方向の端よりはみ出してインクを吐出する第１の記録モード、及び、前記記録媒体の搬送方向で前記記録媒体の記録範囲のみインクを吐出する」第２の記録モードを有し、前記第１のモード時に対応して前記清掃手段を駆動させる制御部を設けたことを特徴とする請求項１６乃至２０のいずれかに記載の画像記録装置。
【請求項２２】 前記記録手段は、記録ヘッドとインクタンクとが一体となったカートリッジであることを特徴とする請求項１乃至２１のいずれかに記載の画像記録装置。
【請求項２３】  搬送手段によって搬送される記録媒体に対してインクを吐出して記録を行う画像記録装置において、
前記記録媒体に記録されたインクを乾燥するインク乾燥手段と、
該インク乾燥手段によりインクが乾燥した記録媒体を切断するカット手段と、
前記記録媒体の画像が記録された部位を前記カット手段で切断するようにカット位置を制御する制御手段と、
を備えたことを特徴とする画像記録装置。
【手続補正２】
【補正対象書類名】明細書
【補正対象項目名】００５３
【補正方法】変更
【補正の内容】
【００５３】
前記記録手段は、記録ヘッドとインクタンクとが一体となったカートリッジであることにより、保守が容易となる。
請求項２３記載の発明は、搬送手段によって搬送される記録媒体に対してインクを吐出して記録を行う画像記録装置において、前記記録媒体に記録されたインクを乾燥するインク乾燥手段と、該インク乾燥手段によりインクが乾燥した記録媒体を切断するカット手段と、前記記録媒体の画像が記録された部位を前記カット手段で切断するようにカット位置を制御する制御手段と、を備えたことを特徴とする画像記録装置である。
前記記録媒体に記録されたインクを乾燥するインク乾燥手段と、該インク乾燥手段によりインクが乾燥した記録媒体を切断するカット手段とを設けたことにより、即ち、カット手段の前にインク乾燥手段を設けたことにより、ふちなし画像形成を行っても、画像形成装置や記録媒体の切断部周辺を汚すことがない。